(57)【要約】【課題】簡単な構成で確実に配管を固定可能な配管結束部材を提供すること。【解決手段】配管１００を複数結束可能な配管結束部材１であって、樹脂材料により形成され、配管１００を固定する溝部３１を有する配管接触部１２と、金属材料により板状、且つ、その長手方向の長さが配管接触部１２の外周の長さよりも長く形成され、湾曲させることで、その両端部が積層して配管接触部１２の外周面を覆う基部１１と、を備える構成とする。【選択図】      図１
2013087819.tif 000002
【特許請求の範囲】
【請求項１】
配管を複数結束可能な配管結束部材であって、
樹脂材料により形成され、前記配管を固定する溝部を有する配管接触部と、
金属材料により板状、且つ、その長手方向の長さが前記配管接触部の外周の長さよりも長く形成され、湾曲させることで、その両端部が積層して前記配管接触部の外周面を覆う基部と、
を備えることを特徴とする配管結束部材。
【請求項２】
前記配管接触部は樹脂材料で形成されるとともに、その中央部に孔部を有し、
前記基部は、金属材料で前記方形板状に形成されたベース、前記ベースに設けられ、前記孔部に挿通される、被固定部に固定する固定手段を挿通可能なカラー、及び、前記ベースに形成された前記固定手段を挿通可能な開口部を具備することを特徴とする請求項１に記載の配管結束部材。
【請求項３】
前記カラーは、前記基部の長手方向の中央部に設けられ、
前記ベースは、その両端部に前記開口部が形成されていることを特徴とする請求項２に記載の配管結束部材。
【請求項４】
前記開口部は、その一方が他方よりも前記ベースの長手方向に長く開口することを特徴とする請求項３に記載の配管結束部材。
【発明の詳細な説明】
【技術分野】
【０００１】
本発明は、複数の配管を結束する配管結束部材に関する。
【背景技術】
【０００２】
現在、車両等に用いられる配管やチューブ等を固定する部材として、所謂クリップと呼ばれる配管結束部材が知られている（例えば、特許文献１及び特許文献２参照）。このような配管結束部材は、配管を複数、例えば、２本並列に結束可能なものも知られている。
【０００３】
このような配管結束部材の一として、一対の金属製のベースにそれぞれゴム部材で形成された配管接触部が設けられ、配管接触部間に２本の配管を挟持し、ボルト等の締結部材により一対のベースを固定して壁面等の被固定部に固定する分割型のクリップが知られている。
【０００４】
このような分割型のクリップは、ゴム部材で形成された配管接触部によって配管を挟持する構成であることから、配管の拘束力が高く、確実に配管を固定することが可能となる。
【０００５】
また、配管結束部材の一として、その内部に配管の形状に開口する開口部を有するとともに、当該開口部を二分割するようにヒンジ部を中心に回動することで、当該開口部を開閉可能な、硬質な樹脂材料で形成されたクリップも知られている。このような樹脂製クリップは、所謂ワンタッチクリップと呼ばれ、ヒンジ部を中心に回動させて開口部を開口させ、配管を分割された一方の開口部に配置後に開口部を閉じることで、開口部に配管を配置して容易に結束することが可能となる。
【０００６】
また、このような樹脂製クリップは、返しが設けられた挿入部が一体に形成されており、被固定部に形成された孔部に挿入部を挿入することで、樹脂製クリップを被固定部に容易に固定できる。このような樹脂製クリップは、樹脂材料により一体に形成されていることから、軽量、且つ、配管の結束及び固定が容易である。
【０００７】
また、配管結束部材の一として、単数の配管をゴム部材等で形成された配管接触部で覆うとともに、配管接触部を金属材料で形成されたベースで覆い、締結部材により被固定部にベースを固定する、所謂Ｐ型板金クリップも知られている。このような配管結束部材は、締結部材で複数のＰ型板金クリップを固定することで、複数の配管を一箇所で結束可能となる。
【０００８】
このようなＰ型板金クリップは、配管径に合わせて配管接触部の形状を変えることで、異なる径の配管を一箇所に結束可能となり、自由度が高い。また、Ｐ型板金クリップは、締結部材により被固定部に固定する前に、配管に配管接触部及びベースを取付け、その後、ベースを締結部材により固定すればよく、施工性も高い。
【先行技術文献】
【特許文献】
【０００９】
【特許文献１】特開２００３−２２７４３７号公報
【特許文献２】特開２００３−２８６９２６号公報
【発明の概要】
【発明が解決しようとする課題】
【００１０】
上述した配管結束部材では、以下の問題があった。即ち、一対の配管接触部及び金属ベースを有する分割型のクリップである配管結束部材は、２分割されていることから、部品点数が多い。また、締結部材で固定させるための強度も必要であることから、金属ベースの肉厚化及び大型化となり、重量が重いという問題もある。また、締結部材で締結するまで、配管接触部及び金属ベースを一体に固定できないことから、配管の結束と、配管結束部材の被固定部への固定を同時に行う必要があり、作業性が悪いという問題もある。また、異なる径の配管を結束する場合、配管接触部の溝の形状が異なる形状に形成されることから、分割された配管接触部同士の組み合わせも考慮する必要がある。
【００１１】
また、樹脂製クリップである配管結束部材は、硬質な樹脂材料で形成されていることから、配管の拘束力が弱く、また、配管の結束位置や組み合わせの自由度が低い、という問題がある。また、締結部材により被固定部に固定する構成でなく、挿入部を被固定部の挿入部に挿入する構成であることから、被固定部から結束部までの高さ制限や設置位置に制限があり、自由度が低い、という問題もある。
【００１２】
また、Ｐ型板金クリップを用いた配管結束部材は、金属ベースを締結部材、例えばボルト及びナット等により挟持して固定する構成であるが、締結部材の締結力や金属ベースの厚み等によっては、高い挟持力が得られない虞がある。このため、配管を結束後、配管の振動や、配管に印加される応力等によって、締結部材を中心に配管結束部材が回動し、配管の結束が解除される虞がある。
【００１３】
そこで本発明は、簡単な構成で確実に配管を固定可能な配管結束部材を提供することを目的とする。
【課題を解決するための手段】
【００１４】
前記課題を解決し目的を達成するために、本発明の配管結束部材は、次のように構成されている。
【００１５】
本発明の一態様として、配管を複数結束可能な配管結束部材であって、樹脂材料により形成され、前記配管を固定する溝部を有する配管接触部と、金属材料により板状、且つ、その長手方向の長さが前記配管接触部の外周の長さよりも長く形成され、湾曲させることで、その両端部が積層して前記配管接触部の外周面を覆う基部と、を備える。
【発明の効果】
【００１６】
本発明によれば、簡単な構成で確実に配管を固定可能な配管結束部材を提供することが可能となる。
【図面の簡単な説明】
【００１７】
【図１】本発明の一実施形態に係る配管結束部材の構成を模式的に示す斜視図。
【図２】同配管結束部材の構成を示す斜視図。
【図３】同配管結束部材の構成を分解して示す斜視図。
【図４】同配管結束部材の構成を示す断面図。
【図５】本発明の変形例に係る配管結束部材の構成を示す斜視図。
【図６】同配管結束部材の要部構成を示す斜視図。
【発明を実施するための形態】
【００１８】
以下、本発明の一実施の形態に係る配管結束部材１の構成を、図１乃至図４を用いて説明する。  
図１は、本発明の一実施形態に係る配管結束部材１の構成を模式的に示す斜視図、図２は配管結束部材１の構成を示す斜視図、図３は配管結束部材１の構成を分解して示す斜視図、図４は配管結束部材１の構成を示す断面図である。
【００１９】
図１に示すように、配管結束部材１は、複数本、例えば本実施形態においては２本の配管１００を結束し、被固定部である壁面１０１に固定可能に形成されている。なお、配管１００は、金属材料で形成された配管あってもよく、また、可撓性を有する金属又は樹脂材料により形成された配管であってもよい。また、壁面１０１は、例えば、自動車等の車両の車体やメンバ等である。
【００２０】
図１乃至図４に示すように、配管結束部材１は、基部１１と、配管接触部１２と、基部１１及び配管接触部１２を壁面１０１に固定する固定手段１３と、を備えている。
【００２１】
基部１１は、金属材料で形成された一方が長い方形板状のベース２１と、金属材料で形成され、ベース２１に一体に設けられたカラー２２と、を備えている。ベース２１は、その中央部にカラー２２が設けられ、その長手方向の両端部に固定手段１３を挿通させる開口部２４が形成されている。ベース２１は、塑性変形させることで、その外形状を湾曲可能に形成されている。
【００２２】
ベース２１は、その長手方向の長さが、配管接触部１２の外周面の長さよりも長く形成されている。ベース２１は、配管接触部１２の外周を覆うとともに、その両端部が積層可能に形成されている。具体的には、ベース２１は、配管接触部１２の外面の一部、さらに言えば配管接触部１２の後述する溝部３１間の上面で、開口部２４がカラー２２上に位置するように、その端部同士を積層可能に形成されている。
【００２３】
開口部２４は、ベース２１の一方の端部に設けられた第１開口部２４ａと、ベース２１の他方の端部に設けられた第２開口部２４ｂと、を備えている。第１開口部２４ａは、挿通される固定手段１３と略同一径に形成されている。第２開口部２４ｂは、固定手段１３の径及び第１開口部２４ａよりも、ベース２１の長手方向に長い楕円形状に形成されている。
【００２４】
カラー２２は、その中央部に固定手段１３を挿通可能な挿通孔２６を有する円筒状に形成されている。カラー２２は、ベース２１の上面からの高さが、配管接触部１２の変形後の高さと同一高さに形成されている。カラー２２は、その端面が固定手段１３による軸心方向の圧縮力を受ける座部をなし、固定手段１３により軸心方向につぶれる配管接触部１２の変形量を規制可能に形成されている。
【００２５】
配管接触部１２は、ゴム部材や発泡性樹脂等のエラストマー樹脂材料により形成されている。配管接触部１２は、その側面形状が楕円形のブロック状に形成され、その中央部を貫通し、カラー２２が挿通される取付孔３０と、その内部に配管１００を配置する溝部３１と、が形成されている。
【００２６】
溝部３１は、結束する配管１００と同数設けられる。溝部３１は、配管接触部１２の内部を挿通する孔部であって、配管接触部１２の外面の一部から孔部まで切欠された切欠部３２を有している。溝部３１は、配管接触部１２の切欠部３２を変形させることで、開放可能、且つ、その内部に配管１００を挿入可能に形成されている。
【００２７】
このような基部１１及び配管接触部１２は、その外面の一部が固定されている。具体的に説明すると、図２に示すように、配管接触部１２は、その切欠部３２から底面側の外面及び取付孔３０の内周面が、ベース２１の一部及びカラー２２に固定されている。なお、基部１１及び配管接触部１２の固定は、例えば、焼付け等の熱により溶着される。
【００２８】
固定手段１３は、開口部２４及び挿通孔２６を挿通可能な頭部４１を有するボルト等の締結部材であり、壁面１０１に設けられた孔部１０２に、ナット等を用いて固定可能に形成されている。
【００２９】
このように構成された配管結束部材１を用いた配管１００の結束方法について、以下説明する。  
先ず、図１に示すように、基部１１及び配管接触部１２が固定された配管結束部材１の基部１１の両端側を外側に広げ、溝部３１を開放する。次に、２本の配管１００を溝部３１内にそれぞれ配置し、その後、挿通孔２６の上方に開口部２４が位置するようにベース２１の端部を変形させて、ベース２１の端部同士を積層させる。これにより、配管１００は、溝部３１内に仮固定される。
【００３０】
次に、開口部２４及び挿通孔２６に固定手段１３を挿通させ、図１に示すように、壁面１０１の孔部１０２に固定手段１３を固定することで、配管結束部材１が壁面１０１に固定される。また、固定手段１３の頭部４１により、ベース２１の両端部がカラー２２及び配管接触部１２を押圧することで、配管接触部１２が圧縮され、結果、溝部３１の配管１００が圧縮された配管接触部１２に保持され、拘束されることで、複数の配管１００が結束される。
【００３１】
このように構成された配管結束部材１によれば、２本の配管１００は、開放状態の溝部３１に配置後、ベース２１の両端部を積層させて２本を弱い拘束力で拘束され、この状態で固定手段１３により基部１１及び配管接触部１２が固定されることで、圧縮された配管接触部１２により強い拘束力で拘束される。このように、配管結束部材１は、先ず、配管１００を仮固定し、壁面１０１に配管結束部材１を固定すると当時に配管１００を結束することが可能であることから、作業性がよい。配管１００を用いた例えば車両等の構造体に配管結束部材１を用いることで、当該構造体の生産性が向上する。
【００３２】
特に、配管結束部材１は、ベース２１を塑性変形させてベース２１の両端部を積層させるだけで、溝部３１に配置された配管１００を配管接触部１２により適度な拘束力で固定することが可能となり、別途固定手段１３等を用いての仮固定を要しない。また、配管結束部材１は、固定手段１３を除くと、配管接触部１２が基部１１に固定された一つの部材で構成されていることから、部品点数が一点であり、且つ、簡単な構成でよく、部品点数の削減、及び、作業性の向上が可能となる。
【００３３】
また、配管結束部材１は、カラー２２が配管接触部１２の内部（取付孔３０）を挿通する構成であることから、カラー２２が固定手段１３の座面をなし、配管接触部１２の高さ方向（固定手段１３の軸心方向）の変形量を規制可能となる。換言すると、配管結束部材１は、カラー２２により固定手段１３の圧縮力を受けるとともに、配管接触部１２の変形量を規制する構成であることから、配管１０を適切な拘束力で固定可能となる。これにより、過度な締結による基部１１、配管接触部１２及び配管１００の変形や破損を防止可能となるとともに、固定手段１３の締結力の管理が容易となる。
【００３４】
また、配管結束部材１は、配管接触部１２の溝部３１の形状や配置を変更することで、その固定する配管１００の径や、配管１００を複数配置する際の配管１００の軸心間距離を可変可能となり、汎用性が高い。特に、従来のクリップ等の配管結束部材１と同一の溝部３１に形成した配管接触部１２を用いることで、従来のクリップに変えて用いる可能である。また、溝部３１の形状や配置がことなっていても、配管接触部１２の外形状が略同一であれば、基部１１を共用することが可能となるため、製造コストを低減することも可能となる。
【００３５】
また、固定手段１３の締結による圧縮力は、カラー２２により受ける構成であることから、ベース２１の厚みは、配管接触部１２を覆うとともに、配管接触部１２を押圧可能であって、塑性変形が可能な厚さでよい。このため、配管結束部材１は、小型化及び軽量化が可能となる。
【００３６】
上述したように、本発明の一実施形態に係る配管結束部材１によれば、簡単な構成で、確実に配管１００を固定可能となる。
【００３７】
次に、本実施形態の配管結束部材１の変形例に係わる配管結束部材１Ａについて、以下図５及び図６を用いて説明する。  
図５は本発明の変形例に係る配管結束部材１Ａの構成を示す斜視図、図６は配管結束部材１Ａに用いられる基部１１Ａの構成を示す斜視図である。なお、本変形例に係る配管結束部材１Ａにおいて、上述した配管結束部材１と同様の構成には同一符号を付し、その詳細な説明は省略する。
【００３８】
配管結束部材１Ａは、基部１１Ａと、配管接触部１２と、基部１１Ａ及び配管接触部１２を壁面１０１に固定する固定手段１３と、を備えている。
【００３９】
基部１１Ａは、金属材料で形成された方形板状のベース２１Ａと、金属材料でベース２１Ａに一体に成形されたカラー２２と、を備えている。ベース２１Ａは、その中央部にカラー２２が設けられ、その長手方向の両端部に固定手段１３を挿通する開口部２４Ａが形成されている。ベース２１Ａは、塑性変形させることで、その外形状を湾曲可能に形成されている。
【００４０】
ベース２１Ａは、その長手方向の長さが、配管接触部１２の外周面の長さよりも長く形成されている。ベース２１Ａは、配管接触部１２の外周を覆うとともに、その両端部が積層可能に形成されている。具体的には、ベース２１Ａは、配管接触部１２の外面の一部、さらに言えば配管接触部１２の溝部３１間の上面で、開口部２４Ａがカラー２２上に位置するように、その端部同士を積層可能に形成されている。
【００４１】
開口部２４Ａは、ベース２１Ａの一方の端部に設けられた、挿通される固定手段１３と略同一径に形成された第１開口部２４ａと、ベース２１Ａの他方の端部に設けられた、固定手段１３の径及び第１開口部２４ａよりも、ベース２１Ａの長手方向に長く、且つ、ベース２１Ａの他方の端辺から切欠する第２開口部２４ｃと、を備えている。
【００４２】
このように構成された配管結束部材１Ａは、上述した配管結束部材１と同様の効果を有する。また、第２開口部２４ｃの端部がベース２１Ａの端辺から切欠する構成であることから、仮固定後に固定手段１３を開口部２４Ａ及び挿通孔２６に挿通する際に、固定手段１３を第２開口部２４ｃへ挿入する作業性が向上することとなる。
【００４３】
特に、配管１００の外径が大径となると、ベース２１Ａの変形量が規制され、ベース２１Ａの端部同士の積層可能な幅を得るためにベース２１Ａを塑性変形させるのに必要な曲げ応力が大きくなり、作業性が低下する。しかし、第２開口部２４ｃにおいては、ベース２１Ａの他方の端辺から固定手段１３を挿入可能となることから、作業性が低下することがない。
【００４４】
上述したように、本発明の変形例に係る配管結束部材１Ａによれば、簡単な構成で、確実に配管１００を固定可能となる。
【００４５】
なお、本発明は前記実施の形態に限定されるものではない。上述した例では、配管接触部１２は、図１に示すようにベース２１に配管接触部１２の切欠部３２から底面まで連続する外面及び取付孔３０の内周面を固定する構成を説明したがこれに限定されない。例えば、図５に示す配管結束部材１Ａのように、ベース２１Ａに、配管接触部１２の側方の曲面から底面及び取付孔３０の内周面を固定してもよい。このような構成においては、ベース２１Ａの両端部及び切欠部３２を開放して溝部３１に配管１００を配置すればよい。
【００４６】
また、上述した例では、溶着により配管接触部１２を基部１１に固定する構成を説明したが、これに限定されず、例えば、接着剤等による粘着により基部１１に配管接触部１２を固定する構成であってもよい。
【００４７】
また、上述した例では、配管接触部１２は、配管１００を二本平行に配置させる溝部３１を二つ有する構成を説明したがこれに限定されない。例えば、溝部３１を複数設ければ、配管１００を複数結束可能となる。また、傾斜して配置される配管１００を固定する場合には、溝部３１の延設方向を傾斜させて設けることで、配管１００を傾斜して結束可能となる。この他、本発明の要旨を逸脱しない範囲で種々変形実施可能である。
【符号の説明】
【００４８】
１、１Ａ…配管結束部材、１０…配管、１１、１１Ａ…基部、１２…配管接触部、１３…固定手段、２１、２１Ａ…ベース、２２…カラー、２４…開口部、２４ａ…第１開口部、２４ｂ、２４ｃ…第２開口部、２６…挿通孔、３０…取付孔、３１…溝部、３２…切欠部、４１…頭部、１００…配管、１０１…壁面、１０２…孔部。
【図１】
2013087819.tif 000003
【図２】
2013087819.tif 000004
【図３】
2013087819.tif 000005
【図４】
2013087819.tif 000006
【図５】
2013087819.tif 000007
【図６】
2013087819.tif 000008